【手続補正書】
【提出日】平成18年3月1日(2006.3.1)
【手続補正１】
【補正対象書類名】特許請求の範囲
【補正対象項目名】全文
【補正方法】変更
【補正の内容】
【特許請求の範囲】
【請求項１】
ａ）外縁を有する内層及び外層であって、前記内層の表面に穴を含み、前記外層は穴の形状を有する有孔部分を含み、前記内層は前記外層の上に重ね合わされており、前記内層の穴は、前記外層の有孔部分に対向し、前記内層の外縁及び外層の外縁の第１部分は一緒に貼着して内部にポケットを有するブリスターカードを形成しており、前記内層の外縁及び外層の外縁の非貼着の第２部分は前記カードへのポケット入口を形成している内層及び外層；
ｂ）１つ以上の、外縁を有するブリスター層及び外縁を有するふた層からなるブリスターキャビティーであって、前記ブリスター層及びふた層の外縁は一緒に貼着されており、両層の縁の内側に医薬組成物を保存するのに適した隆起空隙区画が形成されており、前記ブリスターキャビティーはブリスターカードのポケット中に位置づけられており、前記ブリスターキャビティーの隆起空隙区画は内層の穴を貫通して突出しており、前記ふた層は外層の有孔部分と対向しているブリスターキャビティー；
ｃ）着脱自在な安全ストリップであって、前記ストリップは、ポケット入口を通ってブリスターキャビティーのふた層とカードの外層の間のカードポケットに挿入され、ポケット入口の縁内にある安全ストリップ；及び
ｄ）ブリスターカードの内縁、外縁及びポケット入口をシールする有孔ストリップであって、前記着脱自在な安全ストリップがブリスターカードの内側にシールされて薬剤治療ブリスターカードを形成する有孔ストリップ；
を含む、医薬組成物を投薬するのに適した薬剤治療ブリスターカードであって、有孔ストリップをブリスターカードから引裂き、安全ストリップを除き、内層側のブリスター層を押してふた層を破り、外層の有孔部分をカードから押しのけて、ブリスターキャビティーから医薬組成物を取出する薬剤治療ブリスターカード。
【請求項２】
カードの内層に文書シートを保存するのに適したスリットを有している請求の範囲第１項に記載のブリスターカード。
【請求項３】
内層及び外層の外縁が均一の大きさを有している請求の範囲第２項に記載のブリスターカード。
【請求項４】
複数のブリスターがカード上に設けられている請求の範囲第３項に記載のブリスターカード。
【請求項５】
複数のカードがヒンジ手段により接合されている請求の範囲第４項に記載のブリスターカード。
【請求項６】
文書がカードの内層及び外層上に書かれている請求の範囲第５項に記載のブリスターカード。
【請求項７】
カードの内層にポケットに文書を保存するのに適したスリットを有する請求の範囲第６項に記載のブリスターカード。
【請求項８】
内層、外層、安全ストリップ及び有孔ストリップが板紙、厚紙、ブリッスル・ボード（ｂｒｉｓｔｌｅ  ｂｏａｒｄ）、段ボール紙、ポリマー材料及び金属から選択される材料から製造される請求の範囲第７項に記載のブリスターカード。
【請求項９】
ブリスター層及びふた層がポリマー材料、金属ホイル及びその組合せから選択される材料から製造される請求の範囲第８項に記載のブリスターカード。
【請求項１０】
ポリマー材料が、低密度ポリエチレン、オレフィンコポリマー、ポリ塩化ビニル、ポリ塩化ビニリデン、ポリオレフィン、ポリプロピレン、ポリエステル、ポリ乳酸、ポリアセタール、ポリスチレン及びその組合せから選択される請求の範囲第９項に記載のブリスターカード。
【請求項１１】
複数のカードが、薬剤治療キットを形成するのに適した多重折り畳みカードを形成するために、シールされた縁で相互にヒンジ手段により接合されている請求の範囲第１０項に記載のブリスターカード。
【請求項１２】
少なくとも２つのカード部分を含むことを特徴とする、医薬組成物を投薬するのに適した２つ折り薬剤治療ブリスターカードであって、１つ以上のカード部分が、
ａ）均一な外縁を有する内層及び外層であって、前記内層の表面に穴を含み、前記外層は、穴の形状を有する有孔部分を含み、前記内層は前記外層の上に重ね合わされており、前記内層の穴は、前記外層の有孔部分に対向し、前記内層及び外層の均一な外縁の第１部分は一緒に貼着して内部にポケットを有するブリスターカード部分を形成しており、前記カードの外縁の非貼着の第２部分は前記カードへのポケット入口を形成しており、カードのポケット入口の外縁付近に切欠きが形成されている内層及び外層；
ｂ）１つ以上の、外縁を有するブリスター層及び外縁を有するふた層からなるブリスターキャビティーであって、前記ブリスター層及びふた層の外縁は一緒に貼着され、両層の外縁の内部に医薬組成物を保存するのに適した隆起空隙区画が形成されており、前記ブリスターキャビティーはブリスターカードのポケット中に位置づけられており、前記ブリスターキャビティーの隆起空隙区画は内層の穴を貫通して突出しており、前記ふた層は外層の有孔部分と対向しているブリスターキャビティー；
ｃ）第１端部及び第２端部を有する着脱自在な安全ストリップであって、前記ストリップの第２端部にプルポイント（ｐｕｌｌ  ｐｏｉｎｔ）が設けられており、前記ストリップの第１端部がポケット入口を通ってブリスターキャビティーのふた層とカードの外層の間でカードに挿入されており、前記安全ストリップはポケット入口の縁内にあり、前記プルポイントはポケット入口の外縁内に適合していてカードの切欠きをとおして目に見えるように露出している着脱自在な安全ストリップ；
ｄ）ポケット入口でカードの外縁をシールするのに適した有孔ストリップであって、前記着脱自在な安全ストリップが、ブリスターカードの外縁の内側にシールされてカード部分を形成しており、前記プルポイントが有孔ストリップにより被覆されている有孔ストリップ；
ｅ）任意に、その間にポケットを形成するように貼着された外縁を有する内層及び外層を有するカード部分であって、前記内層中のスリットが文書シートを保存するためのポケットとなるカード部分；及び
ｆ）少なくとも２つのカード部分の外縁を一緒に接合して２つ折り薬剤治療ブリスターカードを形成するヒンジ手段；
を含み、有孔ストリップをブリスターカードから引裂いて安全ストリップのプルポイントを露出させ、そのプルポイントを引っ張って安全ストリップをポケットから引き出し、ブリスターキャビティーのふた層を通ってブリスター層を押してふた層を破り、外層の有孔部分を押しのけてカードから医薬組成物を取出する２つ折り薬剤治療ブリスターカード。
【請求項１３】
内層及び外層の外縁が均一の大きさを有する請求の範囲第１２項に記載の２つ折り薬剤治療ブリスターカード。
【請求項１４】
複数のブリスターキャビティーがカード上に設けられている請求の範囲第１３項に記載の２つ折り薬剤治療ブリスターカード。
【請求項１５】
少なくとも２つのカード部分上の複数のブリスターキャビティーが、カードを折り畳んだときにカード上のキャビティーが交互に配置されるように整列されている請求の範囲第１４項に記載の２つ折り薬剤治療ブリスターカード。
【請求項１６】
カード部分がヒンジ手段により接合されている請求の範囲第１５項に記載の２つ折り薬剤治療ブリスターカード。
【請求項１７】
カードの内層及び外層上に文書が書かれている請求の範囲第１６項に記載の２つ折り薬剤治療ブリスターカード。
【請求項１８】
少なくとも１つのカード部分がその内層に医薬組成物に関する文書を保存するのに適したスリットを有する請求の範囲第１７項に記載の２つ折り薬剤治療ブリスターカード。
【請求項１９】
複数のブリスターキャビティーが少なくとも１つのカード部分上に設けられている請求の範囲第１８項に記載の２つ折り薬剤治療ブリスターカード。
【請求項２０】
複数のブリスターが２つのカード部分上に設けられている請求の範囲第１９項に記載の２つ折り薬剤治療ブリスターカード。
【請求項２１】
カードの２つの部分上の複数のブリスターが互い違いに整列している請求の範囲第２０項に記載の２つ折り薬剤治療ブリスターカード。
【請求項２２】
ブリスターキャビティーが医薬組成物を収容している請求の範囲第２１項に記載の２つ折り薬剤治療ブリスターカード。
【請求項２３】
医薬組成物がピル剤、カプセル剤、錠剤及びその組合せから選択される形態を有している請求の範囲第２２項に記載の２つ折り薬剤治療ブリスターカード。
【請求項２４】
内層、外層、安全ストリップ及び有孔ストリップが板紙、厚紙、ブリッスル・ボード、段ボール紙、ポリマー材料、金属及びその組合せから選択される材料から製造される請求の範囲第２３項に記載の２つ折り薬剤治療ブリスターカード。
【請求項２５】
ブリスター層及びふた層がポリマー材料、金属ホイル及びその組合せから選択される材料から製造される請求の範囲第２４項に記載の２つ折り薬剤治療ブリスターカード。
【請求項２６】
ポリマー材料が、低密度ポリエチレン、オレフィンコポリマー、ポリ塩化ビニル、ポリ塩化ビニリデン、ポリオレフィン、ポリプロピレン、ポリエステル、ポリ乳酸、ポリアセタール、ポリスチレン及びその組合せから選択される請求の範囲第２４項に記載の２つ折り薬剤治療ブリスターカード。
【請求項２７】
ポリマー材料が、低密度ポリエチレン、オレフィンコポリマー、ポリ塩化ビニル、ポリ塩化ビニリデン、ポリオレフィン、ポリプロピレン、ポリエステル、ポリ乳酸、ポリアセタール、ポリスチレン及びその組合せから選択される請求の範囲第２５項に記載の２つ折り薬剤治療ブリスターカード。
【請求項２８】
相互に折り畳むのに適した少なくとも３つのカード部分を含むことを特徴とする、医薬組成物を投薬するのに適した３つ折り薬剤治療ブリスターカードであって、１つ以上のカード部分が、
ａ）均一な外縁を有する内層及び外層であって、前記内層の表面に１つ以上の穴を含み、前記外層は、１つ以上の穴の形状を有する１つ以上の有孔部分を含み、前記内層は前記外層の上に重ね合わされており、前記内層の穴は、前記外層の有孔部分に対向し、前記内層及び外層の均一な外縁の第１部分は一緒に貼着して内部にポケットを有するブリスターカード部分を形成しており、前記カードの外縁の非貼着の第２部分は前記カードへのポケット入口を形成しており、カードのポケット入口の外縁付近に切欠きが形成されている内層及び外層；
ｂ）少なくとも２つのカード部分上に存在する、外縁を有するブリスター層及び外縁を有するふた層からなる複数のブリスターキャビティーであって、前記ブリスター層及びふた層の外縁は一緒に貼着されており、両層の外縁の内側に医薬組成物を保存するのに適した隆起空隙区画が形成されており、前記ブリスターキャビティーはブリスターカードのポケット中に位置づけられており、前記ブリスターキャビティーの隆起空隙区画は内層の穴を貫通して突出しており、前記ふた層は外層の有孔部分と対向している複数のブリスターキャビティー；
ｃ）第１端部、第２端部及びプルポイントを有する着脱自在な安全ストリップであって、前記プルポイントは、前記ストリップの第２端部に設けられており、前記ストリップの第１端部がポケット入口を通ってブリスターキャビティーのふた層とカードの外層の間のカードのポケットに挿入されており、前記安全ストリップはポケット入口の縁内にあり、前記プルポイントはポケット入口の外縁内に適合していてカードの切欠きをとおして目に見えるように露出している着脱自在な安全ストリップ；
ｄ）ブリスターカードのポケット入口をシールする有孔ストリップであって、前記着脱自在な安全ストリップが、ポケットの内側に位置して薬剤治療ブリスターカードを形成しており、前記プルポイントが有孔ストリップにより被覆されている有孔ストリップ；
ｅ）任意に、外縁を有する内層及び外縁を有する外層を有するカード部分であって、前記両層の外縁は一緒に貼着されており、前記内層中のスリットは文書シートを保存するためのポケットとなるカード部分；及び
ｆ）少なくとも３つのカード部分の外縁を一緒に接合して３つ折り薬剤治療ブリスターカードを形成するヒンジ手段であって、カード部分を相互に折り畳むのに適しているヒンジ手段；
を含み、有孔ストリップをブリスターカードから引裂いて安全ストリップのプルポイントを露出させ、そのプルポイントを引っ張って安全ストリップをポケットから引き出し、ブリスターキャビティーのふた層を通ってブリスター層を押してふた層を破り、外層の有孔部分を押しのけてカードから医薬組成物を取出する３つ折り薬剤治療ブリスターカード。
【請求項２９】
内層及び外層の外縁が均一の大きさを有する請求の範囲第２８項に記載の３つ折り薬剤治療ブリスターカード。
【請求項３０】
複数のブリスターキャビティーがカード上に設けられている請求の範囲第２９項に記載の３つ折り薬剤治療ブリスターカード。
【請求項３１】
カード部分がヒンジ手段により接合されている請求の範囲第３０項に記載の３つ折り薬剤治療ブリスターカード。
【請求項３２】
カードの内層及び外層に文書が書かれている請求の範囲第３１項に記載の３つ折り薬剤治療ブリスターカード。
【請求項３３】
少なくとも１つのカード部分がその内層に医薬組成物に関する文書を保存するのに適したスリットを有する請求の範囲第３２項に記載の３つ折り薬剤治療ブリスターカード。
【請求項３４】
複数のブリスターキャビティーが少なくとも１つのカード部分上に設けられている請求の範囲第３３項に記載の３つ折り薬剤治療ブリスターカード。
【請求項３５】
複数のブリスターが２つのカード部分上に設けられている請求の範囲第３４項に記載の３つ折り薬剤治療ブリスターカード。
【請求項３６】
カードの少なくとも２つの部分上の複数のブリスターキャビティーが、ブリスターキャビティーを含む少なくともカード部分を相互に折り畳んだときに互い違いに整列している請求の範囲第３５項に記載の３つ折り薬剤治療ブリスターカード。
【請求項３７】
ブリスターキャビティーが医薬組成物を収容している請求の範囲第３６項に記載の３つ折り薬剤治療ブリスターカード。
【請求項３８】
医薬組成物がピル剤、カプセル剤、錠剤及びその組合せから選択される形態を有している請求の範囲第３７項に記載の３つ折り薬剤治療ブリスターカード。
【請求項３９】
内層、外層、安全ストリップ及び有孔ストリップが板紙、厚紙、ブリッスル・ボード、段ボール紙、ポリマー材料及び金属から選択される材料から製造される請求の範囲第３８項に記載の３つ折り薬剤治療ブリスターカード。
【請求項４０】
ブリスター層及びふた層がポリマー材料、金属ホイル及びその組合せから製造される請求の範囲第３９項に記載の３つ折り薬剤治療ブリスターカード。
【請求項４１】
ポリマー材料が、低密度ポリエチレン、オレフィンコポリマー、ポリ塩化ビニル、ポリ塩化ビニリデン、ポリオレフィン、ポリプロピレン、ポリエステル、ポリ乳酸、ポリアセタール、ポリスチレン及びその組合せから選択される請求の範囲第３９項に記載の３つ折り薬剤治療ブリスターカード。
【請求項４２】
ポリマー材料が、低密度ポリエチレン、オレフィンコポリマー、ポリ塩化ビニル、ポリ塩化ビニリデン、ポリオレフィン、ポリプロピレン、ポリエステル、ポリ乳酸、ポリアセタール、ポリスチレン及びその組合せから選択される請求の範囲第４０項に記載の３つ折り薬剤治療ブリスターカード。
【請求項４３】
相互に折り畳むのに適した３つのカード部分を含むことを特徴とする医薬組成物を投薬するのに適した３つ折り薬剤治療ブリスターカードであって、
ｉ）ａ）比例した大きさの縁及び均一な外縁を有する内層及び外層であって、前記内層の表面に複数の穴を含み、前記外層は、複数の穴の形状を有する複数の有孔部分を含み、前記内層は前記外層の上に重ね合わされており、前記内層の複数の穴は、前記外層の複数の有孔部分に対向し、前記内層及び外層の均一な外縁の第１部分は一緒に貼着して内部にポケットを有するブリスターカード部分を形成しており、前記カードの外縁の非貼着の第２部分は前記カードへのポケット入口を形成しており、カードのポケット入口の縁付近に切欠きが形成されている内層及び外層；
ｂ）少なくとも２つのカード部分上に存在する、外縁を有するブリスター層及び外縁を有するふた層からなる複数のブリスターキャビティーであって、前記ブリスター層及びふた層の外縁は一緒に貼着されており、両層の外縁の内側に医薬組成物を保存するのに適した隆起空隙区画が形成されており、前記ブリスターキャビティーはブリスターカードのポケット中に位置づけられており、前記ブリスターキャビティーの隆起空隙区画は内層の穴を貫通して突出しており、前記ふた層は外層の有孔部分と対向しており、カードの２つの部分上の複数のブリスターキャビティーは、ブリスターキャビティーを含む２つのカード部分が相互に折り畳まれるときに互い違いに整列している複数のブリスターキャビティー；
ｃ）第１端部、第２端部及びプルポイントを有する、比例した大きさの着脱自在な安全ストリップであって、前記ストリップの第２端部にプルポイントが配置されており、前記ストリップの第１端部がポケット入口を通ってブリスターキャビティーのふた層とカードの外層の間のカードのポケット中に挿入されており、前記安全ストリップはポケット入口の縁内にあり、前記プルポイントはポケット入口の外縁内に適合していてカードの切欠きをとおして目に見えるように露出している着脱自在な安全ストリップ；及び
ｄ）ブリスターカードのポケット入口をシールする有孔ストリップであって、前記着脱自在な安全ストリップが、ポケットの内側に位置して薬剤治療ブリスターカードを形成しており、前記プルポイントが有孔ストリップにより被覆されている有孔ストリップ；
を含む２つのカード部分、
ｉｉ）外縁を有する内層及び外縁を有する外層を含む１つのカード部分であって、両層の外縁は一緒に貼着されており、前記内層中のスリットは文書シートを保存するためのポケットとなるカード部分、及び
ｉｉｉ）３つのカード部分の外縁を一緒に接合して３つ折り薬剤治療ブリスターカードを形成するヒンジ手段であって、カード部分を相互に折り畳むのに適しているヒンジ手段、
を含み、有孔ストリップをブリスターカードから引裂いて安全ストリップのプルポイントを露出させ、そのプルポイントを引っ張って安全ストリップをポケットから引き出し、ブリスターキャビティーのふた層を通ってブリスター層を押してふた層を破り、外層の有孔部分を押しのけてカードから医薬組成物を取出する３つ折り薬剤治療ブリスターカード。